(57)【要約】良好に平行化されたビームが生成される光記憶システム用小型化された光ピックアップヘッド。光ピックアップヘッドは、コリメータレンズ、及び、４５度ミラーのような、反射若しくは回折素子を含む光学系を含む。光学系は、カバープレートに取り付けられ、カバープレートと、照射源が上に設けられる基板との間に画成されるくぼみ内に延在する。カバープレート、及び、それに故に、コリメータレンズを含む光学系は、照射源に対して、コリメータレンズの光軸と基板に平行な方向に移動可能であり、照射源により生成された照射ビームに対するコリメータレンズのアライメントが調整可能となる。
2008503022.tif 000002
【特許請求の範囲】
【請求項１】
光学記憶システム用の光ピックアップにおいて走査ビームを生成する装置であって、
照射ビームを放出する照射源と、
前記照射ビームを平行化するコリメータ手段と、
前記コリメータ手段からの前記照射ビームを当該装置の出口ポイントに向けて方向付ける光学素子とを含み、
前記コリメータ手段及び前記光学素子が基板内若しくは基板上に設けられ、
前記コリメータ手段及び前記光学素子を前記コリメータ手段の光軸に平行な方向に前記照射ビームに対して移動させ、前記照射源に対する前記コリメータ手段のアラインメントを調整するために、前記基板を移動させる手段を更に含む、装置。
【請求項２】
前記光学素子が、反射素子若しくは回折手段を含む、請求項１に記載の装置。
【請求項３】
前記光学素子が、前記出口ポイントに設けられる、請求項１に記載の装置。
【請求項４】
前記光学素子が、回折格子を含む、請求項３に記載の装置。
【請求項５】
前記コリメータ手段上への前記照射ビームの入射前に前記照射ビームの光路を折り返させる手段を更に含む、請求項１に記載の装置。
【請求項６】
光学記憶媒体の表面上に走査ビームを合焦させる手段を含む光学記憶システム用光ピックアップヘッドであって、
請求項１による走査ビームを生成する装置、及び、前記光学記憶媒体の前記表面から反射した照射光のビームを受ける手段を含む、光ピックアップヘッド。
【請求項７】
前記照射源が設けられる第２の基板を含み、前記コリメータ手段が、前記第１及び第２の基板に平行な方向に移動可能である、請求項６に記載の光ピックアップヘッド。
【請求項８】
前記第１の基板が、第１のカバープレートを含み、該カバープレート及び前記第２の基板が、それらの間にくぼみを形成し、前記コリメータ手段及び前記光学素子が、前記カバープレート上に、前記くぼみ内に延在するように設けられ、前記カバー部材は、前記コリメータ手段の光軸に平行な方向に前記照射ビームに対する前記コリメータ手段を移動させるように移動可能である、請求項７に記載の光ピックアップヘッド。
【請求項９】
前記第１のカバープレートに接触し、検出器に向けて戻りのビームを方向付ける光学素子を有する第２のカバープレートを更に含む、請求項８に記載の光ピックアップヘッド。
【請求項１０】
前記光学素子が、回折格子である、請求項９に記載の光ピックアップヘッド。
【請求項１１】
前記第２のカバープレートが、前記第１のカバープレートに対して傾斜されることができる、請求項１０に記載の光ピックアップヘッド。
【請求項１２】
前記第２のカバープレートが、前記第１のカバープレートに対して回転可能である、請求項１１に記載の光ピックアップヘッド。
【請求項１３】
前記第２のカバープレートが、前記コリメータ手段の光軸に垂直な軸まわりで前記第１のカバープレートに対して回転可能である、請求項１２に記載の光ピックアップヘッド。
【請求項１４】
前記第１のカバープレートが、前記第２のカバープレートが内部に配置される凹部を有する、請求項８に記載の光ピックアップヘッド。
【請求項１５】
請求項７による光ピックアップヘッドと、該光ピックアップヘッドにより放出される走査ビームを、光学記憶媒体の表面上に合焦させる手段と、該光学記憶媒体の該表面から反射され前記光ピックアップヘッドにより受信される照射を表す信号を生成する手段とを含む、光学記憶システム。
【請求項１６】
光学記憶システム用の光ピックアップにおいて走査ビームを生成する方法であって、
照射ビームを放出する照射源を設けるステップと、
前記照射ビームを平行化するコリメータ手段を設けるステップと、
前記コリメータ手段からの前記照射ビームを装置の出口ポイントに向けて方向付けるステップとを含み、
前記コリメータ手段が、基板内若しくは基板上に設けられており、
前記コリメータ手段を該コリメータ手段の光軸に平行な方向に前記照射ビームに対して移動させ、前記照射源に対する前記コリメータ手段のアラインメントを調整するために、前記基板を移動させるステップを更に含む、方法。
【発明の詳細な説明】
【技術分野】
【０００１】
本発明は、光学記憶システム用の光ピックアップにおける走査ビーム生成装置に係り、より詳細には、光学ディスクドライブ用小型光ピックアップヘッドに関する。
【０００２】
また、本発明は、光学記憶システム用の小型光ピックアップヘッド、及び、かかる光ピックアップヘッドを含む光学記憶システムに関する。
【背景技術】
【０００３】
光学情報記録は、光密度記録方法として発展してきた。光学記憶媒体は、ディスクやカードの形態である。従来的な光学記憶媒体駆動装置は、光ビームを放出する、レーザーのような光源、光ビームをガイドする光学系、記憶媒体の表面上に光ビームを合焦させる合焦レンズ、及び、記憶媒体の表面から反射した光ビームを電気信号に変換する光検出器を有する。かかる記憶媒体の例は、例えば、ＣＤ−ＲＯＭ，ＣＤ−Ｒ，ＣＤ−ＲＷ，ＤＶＤ，ＤＶＤ＋ＲＷ，Ｂｌｕ−ｒａｙ  Ｄｉｓｃ（ＢＤ）等である。これらの例では、光学記憶媒体は、ディスクの形態である。
【０００４】
本分野で良く知られているように、光学ディスクは、その中に書き込まれたデータを含むことができる少なくとも１つのトラックを含む。ディスクは、読み取り専用ディスクとして具現化されて良く、これにより、ディスクは、トラック内にデータが型押しされて製造され、このデータは、ディスクから読み出すことができるだけである。しかし、ユーザがディスク上にデータを記録できるようにする書き込み可能な光ディスクも知られている。この場合、ディスクは、通常的には、ブランクディスク、即ちトラック構造を有するもののトラック内にデータが記録されていないディスクとして、製造される。同様に、ディスク駆動装置は、読み取り専用装置、即ち記録されたディスクから情報を読み取ることだけできる装置として設計されてもよい。しかし、ディスク駆動装置は、記録可能なディスクのトラックに情報を書き込むように設計されてもよい。光ディスク、及び、光ディスクを読み取り若しくは書込みするディスク駆動装置は、一般的に知られているので、それらの具体的な構造及び動作については詳細に説明しない。
【０００５】
しかしながら、全ての場合、ディスク駆動装置は、光ディスクを受ける手段、及び、所定の回転速度で光ディスクを回転させる手段を含む。ディスク駆動装置は、さらに、光ヘッド若しくは光ピックアップユニット（ＯＰＵ）を含み、回転するディスクの表面にレーザービームを方向付け、ディスクにより反射した反射ビームを受信し、受信した反射ビームを電気信号に変換する、典型的にはレーザーである光ビーム生成器を含む。従って、光ピックアップユニットは、光ビーム生成器、光ディスクに光ビームを方向付ける光学系、光を電気信号に変換する光検出器、及び、反射光を受信し、光検出器に当該反射光を方向付ける光学系を含む。
【０００６】
光検出器は、戻りの光ビームに対して非常に正確に位置合わせされることを要し、従来的な光路ジオメトリでは、戻りのスポットは、光検出器のｚ方向（即ち光軸に沿った方向）の光学系における光学部品の残りに対する位置を調整することにより、検出器上に非常に注意深くアライン（位置決め）されている。
【０００７】
図１Ａ及び図１Ｂを参照するに、従来技術による光ピックアップヘッドの主要構成要素の概略的な平面図及び側面図が示されている。図示するように、図示の光ピックアップヘッドは、レーザーダイオード１１５、格子１１４、光検出器プリアンプ集積回路（ＩＣ）１１０、ビームスプリッタ１１１、コリメータ１１２、対物レンズ１１３、折たたみミラー（ｆｏｌｄｉｎｇ  ｍｉｒｒｏｒ）１１６、及び１／４波長偏向器１１７を含む。
【０００８】
動作時、レーザーダイオード１１５は、レーザービームを生成し、当該レーザービームは、次いで、格子１１４を通ってビームスプリッタ１１１に至る。ビームスプリッタ１１１では、レーザービームの一部がコリメータ１１２により反射され且つ平行化される。コリメータ１１２からの平行化された光は、次いで、折たたみミラー１１６により１／４波長偏向器１１７へと反射される。１／４波長偏向器１１７からの出力光は、次いで、読み出されている光ディスク（図示せず）の情報表面上に対物レンズ１１３により合焦される。このとき、光ディスク（図示せず）からの反射光は、１／４波長偏向器１１７、折たたみミラー１１６に及びコリメータ１１２を通ってビームスプリッタ１１１へと逆方向に伝播する。ビームスプリッタでは、反射光は、光検出器プリアンプＩＣ１１０までビームスプリッタを通って真っ直ぐ伝播する。反射光に反応して、光検出器プリアンプＩＣ１１０は、光ディスク上に記憶されたデータを取り出すため従来的な態様で処理されることができる多数の光電気信号を生成する。
【０００９】
可能な限りコンパクトな光ピックアップユニット（ＯＰＵ）を製造することは益々望ましくなっており、ハーフハイト（ＨＨ、高さ半分）でスリムなＯＰＵが益々一般的になりつつある。高さが６．７ｍｍしかない知られた光ピックアップヘッドの１つのタイプが存在する。実際に、光記録の小型化は、益々重要になっている。携帯型のアプリケーションは、非常に小型で、とりわけ、非常にスリムな光記憶装置を必要とし、この場合、成形高さ（ビルディングハイト）がキーとなる問題である。更に、一体化は、より少ない数の構成要素が必要とされ、全体として記憶装置がより容易に組み付け且つ位置合わせされることができるので、光ピックアップヘッドのコストダウンに向けた重要なステップである。
【００１０】
一般的な一体型光ピックアップヘッドは知られている。
【００１１】
図２を参照するに、小型化された光路ジオメトリが採用された知られた光ピックアップユニット（ＯＰＵ）は、基板１０１、基板１０１上に設けられるレーザーマウント１０３上に搭載されるレーザー１０２、光検出器１０４、及び、ミラー若しくは格子要素１０５を含む。図２に概略的に示された小型化された光路ジオメトリでは、光検出器１０４は、基板１０１の一体的な部分として形成されている。
【００１２】
図３を参照するに、その他の知られたコンパクト光ピックアップヘッドは、青色レーザー３００、フォトダイオード集積回路３０２、及び、格子３０４ａ，３０４ｂ及び偏光光学部品からなる光学系を含む。より具体的には、使用時、レーザー源３００により放出された照射光のビーム３０６は、ミラー３０８により反射され、半波長偏光器３１０を通って第１の格子３０４ａに至る。第１の格子３０４ａを通過した後、ビーム３０６の一部は、偏光ビームスプリッタ３１２を通って、コリメータレンズ及び光記憶媒体の表面上にビームを合焦させる対物レンズ（図示せず）に通される。光記憶媒体から反射した照射光のビーム３１４は、光学系へと伝播して戻り、そこで、反射ビーム３１４の少なくとも一部が、偏光ビームスプリッタ３１２によりミラー３１６に向けられ、ミラー３１６は、ビームを、第２の格子３０４ｂ及び円筒形レンズ３１８を介してフォトダイオード集積回路３０２に向けて反射する。反射光に応答して、フォトディテクタＩＣ３０２は、光ディスク上に記憶されたデータを取り出すため従来的な態様で処理されることができる多数の光電気信号を生成する。
【００１３】
しかし、これでさえも、あるアプリケーションに対して、厚すぎるとみなされる。更に、光ピックアップヘッドを構成する光学部品の全体数が大きく、従って、ピックアップヘッドの光学系の構造的複雑性を増加させ、ＯＰＵをよりスリムにすることに関して制約をもたらすと共に、材料のコスト及び製造工程を増加させ、部品の数、従来的な光ピックアップヘッドを組み付けるのに要する人的資源、接着動作、及び結果として得られる処理装置に起因して生産歩留りを制限する。更に、図３を参照して上述した装置は、発散するビーム３０６ａを放出し、従って、追加のコリメータが、記憶媒体の表面上に対物レンズにより合焦させる前に平行なビームを作成するために必要とされるという、欠点を有する。
【００１４】
赤色レーザーを用いた同様のシステムも知られており、当該システムは、対物レンズがピックアップヘッドの一部であり、ピックアップヘッドが記憶媒体の下方に直接的に位置付けられなければならない、精巧な共役システムを含む。
【００１５】
それにも拘らず、レーザー及び検出器をいわゆる“フィックスドワールド（ｆｉｘｅｄ  ｗｏｒｌｄ）”（即ち、アクチュエータに対するドライブの固定部品、必要時、対物レンズを径方向及び焦点方向に移動させるために移動可能である）にて配置することは、１つの知られた構成として、アームやハンマー上とは対照的に、幾つかの主要な効果があるが、かかる構成を実現するためには、照射光の良好に平行化されたビームが、光記憶媒体下方に移動可能に搭載された対物レンズまでピックアップの“フィックスドワールド”から伝播しなければならない。
【発明の開示】
【発明が解決しようとする課題】
【００１６】
本発明の目的は、光学記憶システム用の光ピックアップにおいて（完全に若しくは略）平行化された走査ビームを生成する装置、及び、その走査ビームを放出するコンパクトな光ピックアップヘッドを提供することである。また、本発明の目的は、かかる光ピックアップヘッドを内蔵する光記憶システム、及び、かかる光ピックアップヘッドにおいて平行化された走査ビームを生成する方法を提供することである。
【課題を解決するための手段】
【００１７】
本発明によれば、光学記憶システム用の光ピックアップにおいて走査ビームを生成する装置であって、
照射ビームを放出する照射源と、
前記照射ビームを平行化するコリメータ手段と、
前記コリメータ手段からの前記照射ビームを当該装置の出口ポイントに向けて方向付ける光学素子とを含み、
前記コリメータ手段及び前記光学素子が基板内若しくは基板上に設けられ、
前記コリメータ手段及び前記光学素子を前記コリメータ手段の光軸に略平行な方向に前記照射ビームに対して移動させ、前記照射源に対する前記コリメータ手段のアラインメントを調整するために、前記基板を移動させる手段を更に含む、装置が提供される。
【００１８】
また、本発明によると、光学記憶媒体の表面上に走査ビームを合焦させる手段を含む光学記憶システム用光ピックアップヘッドであって、
上述したような走査ビームを生成する装置、及び、前記光学記憶媒体の前記表面から反射した照射光のビームを受ける手段を含む、光ピックアップヘッドが提供される。
【００１９】
好ましい実施例では、ピックアップヘッドは、前記照射源が上に設けられる第２の基板を含み、前記コリメータ手段が、前記第１及び第２の基板に略平行な方向に移動可能である。効果的には、前記第１の基板が、第１のカバープレートを含み、該カバープレート及び前記第２の基板が、それらの間にくぼみを形成し、前記コリメータ手段及び前記光学素子が、前記カバープレート上に、前記くぼみ内に延在するように設けられ、前記カバー部材は、前記コリメータ手段の光軸に略平行な方向に前記照射ビームに対する前記コリメータ手段を移動させるように移動可能である。
【００２０】
好ましくは、当該装置は、前記コリメータ及び前記光学素子を含む一体化された光学系を含み、好ましくは、４５度ミラーや回折格子のような、構成の出口ポイントに向けて前記コリメータからの照射ビームを方向付ける反射若しくは回折素子を含む。その他の光学素子、好ましくは回折素子が、出口ポイントに設けられてもよい。一の模範的実施例では、当該装置は、前記コリメータ手段上に入射する前に照射ビームの光路を折り返させる手段を含むことができる。
【００２１】
効果的には、前記光ピックアップヘッドは、更に、前記第１のカバープレートに接触し、検出器に向けて戻りのビームを方向付ける光学素子、好ましくは回折手段を有する第２のカバープレートを含む。前記第２のカバープレートは、好ましくは、前記第１のカバープレートに対して傾斜されることができる。前記第２のカバープレートは、好ましくは、前記第１のカバープレートに対して、好ましくは前記コリメータ手段の光軸に略垂直な軸まわりに、回転可能である。前記第１のカバープレートは、前記第２のカバープレートが内部に配置される凹部を有してよい。
【００２２】
更に、本発明によれば、上述による光ピックアップヘッドと、該光ピックアップヘッドにより放出される走査ビームを、光学記憶媒体の表面上に合焦させる手段と、該光学記憶媒体の該表面から反射され前記光ピックアップヘッドにより受信される照射を表す信号を生成する手段とを含む、光学記憶システムが提供される。
【００２３】
本発明は、また、光学記憶システム用の光ピックアップにおいて走査ビームを生成する方法に拡張し、当該方法は、
照射ビームを放出する照射源を設けるステップと、
前記照射ビームを平行化するコリメータ手段を設けるステップと、
前記コリメータ手段からの前記照射ビームを装置の出口ポイントに向けて方向付けるステップとを含み、
前記コリメータ手段が、基板内若しくは基板上に設けられており、
当該方法が、前記コリメータ手段を該コリメータ手段の光軸に略平行な方向に前記照射ビームに対して移動させ、前記照射源に対する前記コリメータ手段のアラインメントを調整するために、前記基板を移動させるステップを更に含む。
【００２４】
これらの局面等は、以下説明する実施例を参照することで、明らかになるだろう。
【発明を実施するための最良の形態】
【００２５】
これより、本発明は、添付図面を参照して例示により、より詳細に説明される。
【００２６】
本発明の目的は、（完全に若しくは略）平行化された出力ビームが生成される小型化された光ピックアップシステムの提供を可能とすることである。この目的は、ピックアップヘッド内に平行化光学部品を一体化することにより達成できる。これに関して、とりわけ、以下の２つの主要な拘束がある。
ａ）成形高さは最小に維持されるべきであること、及び、
ｂ）コリメータが焦点はずれ（デフォーカス）の悪影響を低減すべくアクティブに位置合わせされるべきこと。
【００２７】
図４を参照するに、本発明の模範的実施例による光ピックアップヘッドが概略的に図示されており、そこでは、コリメータレンズ及びミラー（若しくは格子）が、ピックアップ基板に平行で且つコリメータレンズの光軸に平行な、単一の水平方向に移動可能な基板上に一体化されている。
【００２８】
図示された光ピックアップヘッドは、基板１を含み、基板１上には、レーザー源２を指示するレーザーマウント３が設けられる。カバープレートマウント１１は、基板１の周辺に設けられ、基板１とカバープレート２１を結合させる。コリメータレンズ２０及び４５度のミラー５（若しくは代替的な模範的な実施例では格子）を含む光学系は、基板１とカバープレート２１の間に画成されるくぼみ（キャビティ）内まで延在するような態様で、カバープレート２１に取り付けられ、若しくは、カバープレート２１に一体化される。カバープレート２１は、自身（及び、それに伴い、カバープレート上に設けられる光学系）が、基板１に平行で且つコリメータレンズ２０の光軸２０ａに平行な、単一の水平方向に移動されることができるような態様で、基板１に対して移動可能に搭載される。
【００２９】
その結果、結果として得られるレーザービーム１００は、正確に平行化され、若しくは、望ましい場合には、ある一定量のデフォーカスを以って略平行化される。更に、基板に平行に平面内に平行化することによって、追加のコリメータが必要とされないので、装置の全体の成形高さは、小さく且つ一定に保たれることができる。カバープレート２１及びカバープレートマウント１１は、カバープレート及びそれに伴いコリメータレンズが一の方向、即ちコリメータレンズの瞳（ｐｕｐｉｌ）に垂直な方向でのみ調整できるようにされることができる。カバープレート２１は、単一の樹脂モールド製品として製造されることができる。
【００３０】
理解されるべきことして、４５度ミラー５は、図示の実施例では、基板１の面外に光を結合させるために必要とされる。これは、図５に示す実施例のように、格子ビーム整形器５０を用いても同等に達成できうり、図５では、全ての他の構成要素は、図４に示した実施例と同一であり、同一の参照符号が同様の構成要素を示すために用いられている。
【００３１】
図６ａ及び図６ｂを参照するに、本発明のその他の模範的実施例による光ヘッドは、図５に示したものと多くの点で同様であり、同様の参照符号が同様の構成要素を示すために用いられる。しかし、この場合、図示のように、カバープレート２１の上面には、凹部２１ａが設けられ、当該凹部２１ａの上には、第２のカバープレート２２が設けられる。第１のカバープレート２１には、その凹部内に、出力する光ビームの光路内に格子２３が設けられ、第２のカバープレート２２にも、出力する光ビーム１００の光路内に格子２４が設けられる。コリメータレンズ２０の瞳の直径は、例えば、０．５ｍｍであってよい。
【００３２】
格子２３の目的は、３−ｓｏｔプッシュプルラジアルトラッキング（３−ｓｏｔ−ｐｕｓｈ−ｐｕｌｌ  ｒａｄｉａｌ  ｔｒａｃｋｉｎｇ）のために中央のビームに隣接する２つの追加のサテライトビームを提供することである。原理上、この格子２３は、２１に固定され、追加のアライメントを必要としない。格子２４の目的は、検出器６０に向けて、後方に移動するビーム（即ち、光ディスクにより反射されたビーム）を方向付けることである。格子は、検出器上へのスポットのＸ−Ｙ平面のセンタリングを反映して、２つのアライメントを必要とする。
【００３３】
第１のアライメントは、図面に垂直な軸（検出器でのＸアライメントに対応し、Ｘは、レーザー源からミラー５０までのラインに沿う）に沿った格子の傾斜（チルト）により達成される。この傾斜が適切に調整されるように、第２のカバープレートは、第１のカバープレート２１の凹表面に正確に嵌合する凸表面を有する。
【００３４】
格子２４の第２のアライメントは、出力されるビーム１００に沿った光軸に沿った格子の回転である（検出器でのＹアライメントに対応し、Ｙは、基板１の平面内で且つレーザー源からミラー５０までのラインに垂直）。第２のカバープレートの回転は、同一の凹／凸表面を用いて達成できる。
【００３５】
尚、格子２４の一の回転及び一の傾斜の調整という方が、意味が分かりやすい。結果として、戻りの光ビームは、検出器６０上に正確に位置決めされることができる。同様に、これは、非常に小さい量の成形高さのみを消費して達成できる。
【００３６】
理解されるべきことして、本発明によるピックアップヘッドの全体のサイズは、コリメータレンズ２０の瞳のサイズにより主に決まる。瞳のサイズは、必要とされるリムインテンシティ（ｒｉｍ  ｉｎｔｅｎｓｉｔｙ）と共に、コリメータ２０の焦点距離を定める。ブルーレイ（Ｂｌｕ−ｒａｙ）ディスクシステムに対しては、これは、１０ｍｍよりも顕著に大きくなり、細長い装置を生む。しかし、例えば、ミラー構成若しくは単なる直角プリズムを用いて光路を折り返すことで、装置の全体の長さを劇的に減少させることができる。
【００３７】
従って、図７ａ及び図７ｂを参照するに、模範的な小型化された、折り返し型光ピックアップヘッドが、概略的に示されており、この光ピックアップヘッドは、源２により生成された照射光のビームの光路を折り返させる対のミラー２６（若しくは、直角プリズム、図８参照）を内蔵する。図示された構成の他の全ての構成要素は、図６に示した構成のものと同一であり、ここでは更に説明されない。
【００３８】
同様に、図８を参照するに、その他の模範的な小型化された、折り返し型光ピックアップヘッドが、概略的に示されており、この光ピックアップヘッドは、源２により生成された照射光のビームの光路を折り返させる直角プリズム２７を内蔵する。同様に、図示された構成の他の全ての構成要素は、図６及び図７に示した構成のものと同一であり、ここでは更に説明されない。
【００３９】
本発明の模範的実施例の結果として達成される光ピックアップヘッドパッケージが、図９に示される。８．５×３．５×４．５ｍｍ（ｌ×ｗ×ｈ）、若しくは、更には６×３．５×３．５ｍｍのオーダーの寸法を達成できる。
【００４０】
尚、上述の実施例は、本発明を例示するもので限定するものでなく、当業者であれば、添付の請求の範囲の観点から逸脱することなく多数の代替的な実施例を設計することができるだろう。原文の請求項において、カッコ内の参照符号は、請求項を限定するのに解釈されるべきでない。単語“ｃｏｍｐｒｉｓｉｎｇ（含む）”及び“ｃｏｍｐｒｉｓｅ”等は、請求項や明細書全体に列挙された要素やステップ以外の要素やステップの存在を除外するものでない。要素に付される単数表現は、かかる要素の複数の存在を除外するものでなく、逆も同様である。本発明は、幾つかの区別される要素を含むハードウェアにより、及び、適切にプログラムされたコンピューターにより、実現されることができる。幾つかの手段を列挙する装置クレームでは、これらの手段のいくつかが、１つの同一のハードウェアのアイテムにより具現化されることができる。ある手段が、相互に異なる従属項の請求項に記載されているという単なる事実は、これらの手段の組み合わせが効果的に使用できないことを意味するものではない。
【図面の簡単な説明】
【００４１】
【図１Ａ】先行技術による光ピックアップヘッドの主要構成要素を表す概略的な側面図。
【図１Ｂ】先行技術による光ピックアップヘッドの主要構成要素を表す概略的な平面図。
【図２】先行技術による小型化された光ピックアップユニット（ＯＰＵ）の概略的な平面図（上側）及び側面図（下側）。
【図３】青色レーザーダイオード、フォトダイオード集積回路及びビーム分割光学部品を一体化した先行技術による小型化された光ピックアップの概略的な断面図であり、モジュールの全体のサイズは、１１×６×４ｍｍであることができる。
【図４】光記憶システム用の光ピックアップヘッドにおける走査ビームを生成するための本発明の模範的実施例による装置の概略的な断面図。
【図５】本発明の第１の模範的実施例による光ピックアップヘッドの概略的な断面図。
【図６ａ】本発明の第２の模範的実施例による光ピックアップヘッドの概略的な断面図。
【図６ｂ】本発明の第２の模範的実施例による光ピックアップヘッドの概略的な平面図。
【図７ａ】本発明の第３の模範的実施例による光ピックアップヘッドの概略的な断面図。
【図７ｂ】本発明の第３の模範的実施例による光ピックアップヘッドの概略的な平面図。
【図８】本発明の第４の模範的実施例による光ピックアップヘッドの概略的な平面図。
【図９】本発明の模範的実施例による光ピックアップヘッドパッケージの斜視図。
【図１Ａ】
2008503022.tif 000003
【図１Ｂ】
2008503022.tif 000004
【図２】
2008503022.tif 000005
【図３】
2008503022.tif 000006
【図４】
2008503022.tif 000007
【図５】
2008503022.tif 000008
【図６ａ】
2008503022.tif 000009
【図６ｂ】
2008503022.tif 000010
【図７ａ】
2008503022.tif 000011
【図７ｂ】
2008503022.tif 000012
【図８】
2008503022.tif 000013
【図９】
2008503022.tif 000014
【国際調査報告】
2008503022.tif 000015
2008503022.tif 000016
2008503022.tif 000017